【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
遊技に用いられる遊技球を受容するとともに、前記遊技球を受容する受容面に第１開口が設けられた受け部と、
前記受け部に受容された遊技球を発射装置に誘導するとともに、下流側の底面に第２開口が設けられた誘導通路と、
前記第１開口及び第２開口のそれぞれに連なって設けられ、遊技球を外部に排出する排出通路と、
前記第１開口を開閉する第１の遮蔽部材と、
前記第２開口を開閉する第２の遮蔽部材と、
前記第１開口及び第２開口のそれぞれを閉じる第１位置、前記第１開口を開ける第２位置、前記第１開口及び第２開口のそれぞれを開ける第３位置のいずれかの位置に選択的に操作され、前記第２位置は、前記第１位置と、前記第３位置との間に位置する操作部と、
前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技球抜出し装置と、
前記第１の遮蔽部材及び第２の遮蔽部材を回動自在に軸支する回動軸と、
前記操作部の操作に連動して前記第１の遮蔽部材及び前記第２の遮蔽部材を回動させるアーム部材とを設け、
前記操作部を第２位置に向けて操作した時に、前記アーム部材の一方の端部が、前記第１の遮蔽部材に設けられた突出部を押圧し、前記第１の遮蔽部材を回動させ、前記操作部を第２位置から第３位置に向けて操作した時に、前記アーム部材の一方の端部が前記突出部を押圧して前記第１の遮蔽部材を回動させる他に、前記アーム部の他方の端部が前記第２の遮蔽部材に設けられた突起部と押圧し、前記第２の遮蔽部材を回動させることを特徴とする遊技機。
【請求項２】
遊技に用いられる遊技球を受容するとともに、前記遊技球を受容する受容面に第１開口が設けられた受け部と、
前記受け部に受容された遊技球を発射装置に誘導するとともに、下流側の底面に第２開口が設けられた誘導通路と、
前記第１開口及び第２開口のそれぞれに連なって設けられ、遊技球を外部に排出する排出通路と、
前記第１開口を開閉する第１の遮蔽部材と、
前記第２開口を開閉する第２の遮蔽部材と、
前記第１開口及び第２開口のそれぞれを閉じる第１位置、前記第１開口を開ける第２位置、前記第１開口及び第２開口のそれぞれを開ける第３位置のいずれかの位置に選択的に操作され、前記第２位置は、前記第１位置と、前記第３位置との間に位置する操作部と、
前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技球抜出し装置と、
前記第１の遮蔽部材及び第２の遮蔽部材をそれぞれ回動自在に軸支する回動軸と、
前記第１の遮蔽部材に突出部を設け、前記第２の遮蔽部材に突起部と、
前記操作部の前記第２位置及び第３位置への移動に連動するとともに、一方の端部に前記突出部を押圧する第１の押圧部を、他方の端部に前記突起部を押圧する第２の押圧部を備えたアーム部材とを設け、
前記アーム部材を、前記第１位置に位置した際に、前記第１の押圧部を前記第１の遮蔽部材に設けられた突出部と当接させ、且つ前記第２の押圧部を前記突起部に対して所定の隙間を有するように配置したことを特徴とする遊技機。
【請求項３】
遊技に用いられる遊技球を受容するとともに、前記遊技球を受容する受容面に第１開口が設けられた受け部と、
前記受け部に受容された遊技球を発射装置に誘導するとともに、下流側の底面に第２開口が設けられた誘導通路と、
前記第１開口及び第２開口のそれぞれに連なって設けられ、遊技球を外部に排出する排出通路と、
前記第１開口を開閉する第１の遮蔽部材と、
前記第２開口を開閉する第２の遮蔽部材と、
前記第１開口及び第２開口のそれぞれを閉じる第１位置、前記第１開口を開ける第２位置、前記第１開口及び第２開口のそれぞれを開ける第３位置のいずれかの位置に選択的に操作され、前記第２位置は、前記第１位置と、前記第３位置との間に位置する操作部と、
前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技球抜出し装置と、
前記第１の遮蔽部材及び第２の遮蔽部材をそれぞれ回動自在に軸支する回動軸と、
前記第１の遮蔽部材に突出部を設け、前記第２の遮蔽部材に突起部と、前記操作部の前記第２位置及び第３位置への移動に連動するとともに、一方の端部に前記突出部を押圧する第１の押圧部を、他方の端部に前記突起部と係合する第２の押圧部を備えたアーム部材とを設け、
前記アーム部材を、前記第１位置に位置した際に、前記第１の押圧部を前記第１の遮蔽部材に設けられた突出部に対して第１の隙間を空けて、且つ前記第２の押圧部を突起部に対して第１の隙間よりも広い第２の隙間を有するように配置したことを特徴とする遊技機。
【請求項４】
前記第１の遮蔽部材は、第１のバネ部材によって前記第１開口を閉じる方向に付勢され、前記第２の遮蔽部材は、第２のバネ部材によって前記第２開口を閉じる方向に付勢されることを特徴とする請求項１〜３いずれか記載の遊技機。
【請求項５】
前記第２のバネ部材のバネ定数は、前記第１のバネ部材のバネ定数よりも大きく設定されていることを特徴とする請求項４記載の遊技機。
【請求項６】
前記操作部は、前記受け部に設けられた開口を介して露呈されており、前記開口の周縁には、前記第２位置を示す突設片が設けられていることを特徴とする請求項１〜５いずれか記載の遊技機。
【請求項７】
前記突設片は、前記開口の周縁に、且つ前記第２位置から第３位置の範囲にかけて設けられていることを特徴とする請求項６記載の遊技機。
【手続補正２】
【補正対象書類名】明細書
【補正対象項目名】０００８
【補正方法】変更
【補正の内容】
【０００８】
上記目的を達成するために、請求項１記載の発明に係る遊技機は、遊技に用いられる遊技球を受容するとともに、前記遊技球を受容する受容面に第１開口が設けられた受け部と、前記受け部に受容された遊技球を発射装置に誘導するとともに、下流側の底面に第２開口が設けられた誘導通路と、前記第１開口及び第２開口のそれぞれに連なって設けられ、遊技球を外部に排出する排出通路と、前記第１開口を開閉する第１の遮蔽部材と、前記第２開口を開閉する第２の遮蔽部材と、前記第１開口及び第２開口のそれぞれを閉じる第１位置、前記第１開口を開ける第２位置、前記第１開口及び第２開口のそれぞれを開ける第３位置のいずれかの位置に選択的に操作され、前記第２位置は、前記第１位置と、前記第３位置との間に位置する操作部と、前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技球抜出し装置と、前記第１の遮蔽部材及び第２の遮蔽部材を回動自在に軸支する回動軸と、前記操作部の操作に連動して前記第１の遮蔽部材及び前記第２の遮蔽部材を回動させるアーム部材とを設け、前記操作部を第２位置に向けて操作した時に、前記アーム部材の一方の端部が、前記第１の遮蔽部材に設けられた突出部を押圧し、前記第１の遮蔽部材を回動させ、前記操作部を第２位置から第３位置に向けて操作した時に、前記アーム部材の一方の端部が前記突出部を押圧して前記第１の遮蔽部材を回動させる他に、前記アーム部の他方の端部が前記第２の遮蔽部材に設けられた突起部と押圧し、前記第２の遮蔽部材を回動させることを特徴とする。なお、遊技機がパチンコ機からなる場合には、受け部とは、例えば遊技球が供給される供給皿等が挙げられる。
【手続補正３】
【補正対象書類名】明細書
【補正対象項目名】０００９
【補正方法】変更
【補正の内容】
【０００９】
上記目的を達成するために、請求項２記載の発明に係る遊技機は、遊技に用いられる遊技球を受容するとともに、前記遊技球を受容する受容面に第１開口が設けられた受け部と、前記受け部に受容された遊技球を発射装置に誘導するとともに、下流側の底面に第２開口が設けられた誘導通路と、前記第１開口及び第２開口のそれぞれに連なって設けられ、遊技球を外部に排出する排出通路と、前記第１開口を開閉する第１の遮蔽部材と、前記第２開口を開閉する第２の遮蔽部材と、前記第１開口及び第２開口のそれぞれを閉じる第１位置、前記第１開口を開ける第２位置、前記第１開口及び第２開口のそれぞれを開ける第３位置のいずれかの位置に選択的に操作され、前記第２位置は、前記第１位置と、前記第３位置との間に位置する操作部と、前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技球抜出し装置と、前記第１の遮蔽部材及び第２の遮蔽部材をそれぞれ回動自在に軸支する回動軸と、前記第１の遮蔽部材に突出部を設け、前記第２の遮蔽部材に突起部と、前記操作部の前記第２位置及び第３位置への移動に連動するとともに、一方の端部に前記突出部を押圧する第１の押圧部を、他方の端部に前記突起部を押圧する第２の押圧部を備えたアーム部材とを設け、前記アーム部材を、前記第１位置に位置した際に、前記第１の押圧部を前記第１の遮蔽部材に設けられた突出部と当接させ、且つ前記第２の押圧部を前記突起部に対して所定の隙間を有するように配置したことを特徴とする。なお、所定の隙間とは、所謂遊びのことであり、第１位置と第２位置との間の距離よりも長く、第１位置から第３位置までの間隔よりも短い間隔を有する隙間である。
【手続補正４】
【補正対象書類名】明細書
【補正対象項目名】００１０
【補正方法】変更
【補正の内容】
【００１０】
上記目的を達成するために、請求項３記載の発明に係る遊技機は、遊技に用いられる遊技球を受容するとともに、前記遊技球を受容する受容面に第１開口が設けられた受け部と、前記受け部に受容された遊技球を発射装置に誘導するとともに、下流側の底面に第２開口が設けられた誘導通路と、前記第１開口及び第２開口のそれぞれに連なって設けられ、遊技球を外部に排出する排出通路と、前記第１開口を開閉する第１の遮蔽部材と、前記第２開口を開閉する第２の遮蔽部材と、前記第１開口及び第２開口のそれぞれを閉じる第１位置、前記第１開口を開ける第２位置、前記第１開口及び第２開口のそれぞれを開ける第３位置のいずれかの位置に選択的に操作され、前記第２位置は、前記第１位置と、前記第３位置との間に位置する操作部と、前記操作部を前記第１位置へ操作したときには、前記第１の遮蔽部材による前記第１開口の遮蔽、及び前記第２の遮蔽部材による前記第２開口の遮蔽を行い、前記操作部を前記第２位置へ操作したときには、前記第１の遮蔽部材を移動させて前記第１開口を開け、前記操作部を前記第３位置へ操作したときには、前記第１の遮蔽部材を移動させて前記第１開口を開けるとともに、前記第２の遮蔽部材を移動させて前記第２開口を開けるように動作する遊技球抜出し装置と、前記第１の遮蔽部材及び第２の遮蔽部材をそれぞれ回動自在に軸支する回動軸と、前記第１の遮蔽部材に突出部を設け、前記第２の遮蔽部材に突起部と、前記操作部の前記第２位置及び第３位置への移動に連動するとともに、一方の端部に前記突出部を押圧する第１の押圧部を、他方の端部に前記突起部と係合する第２の押圧部を備えたアーム部材とを設け、前記アーム部材を、前記第１位置に位置した際に、前記第１の押圧部を前記第１の遮蔽部材に設けられた突出部に対して第１の隙間を空けて、且つ前記第２の押圧部を突起部に対して第１の隙間よりも広い第２の隙間を有するように配置したことを特徴とする。なお、第１の隙間とは、第１位置から第２位置までの間隔よりも短い間隔を有する隙間のことである。また、第２の隙間とは、第１位置と第２位置との間の距離よりも長く、第１位置から第３位置までの間隔よりも短い間隔を有する隙間である。
【手続補正５】
【補正対象書類名】明細書
【補正対象項目名】００１１
【補正方法】削除
【補正の内容】